(57)【要約】本発明は、複数のブラケット（１０）を用いて連結される複数のクラッディング手段（２６）を含んで成るクラッディングシステムに関する。各ブラケット（１０）は、支持手段（１２）と、ブラケットをクラッディング手段に連結させる連結手段（２２、２４）から成る。支持手段（１２）はビルディングのフレームあるいは外面へ固定されるようになっている。支持手段（１２）はさらに、１又は２以上のクラッディング手段（２６）を支えるようにもなっている。連結手段（２２、２４）は、支持手段（２６）の一体部分へ連結され、あるいは該一体部分を形成する。クラッディング手段（２６）は、ブラケット（１０）と連結されている時、基板の使用を必要とせずにクラッディングを施すことが可能である。
2012510007.tif 000002
【特許請求の範囲】
【請求項１】
ビルディングのフレームあるいは外面へ固定されて１又は２以上のクラッディング手段を支えるようになっている支持手段、及び
ブラケット自身、あるいはブラケットとクラッディング手段を連結し、かつ前記支持手段へ連結され、あるいは前記支持手段の一体部分を形成する連結手段から成るブラケットであって、
前記クラッディング手段は、ブラケットと連結された時、基板の使用を必要とせずにクラッディングできることを特徴とするブラケット。
【請求項２】
請求項１記載の複数のブラケットと連結された複数のクラッディング手段を含んで構成されるクラッディングシステム。
【請求項３】
１又は２以上のＸ形状部片を含み、それら部片のそれぞれには互いに直交する２本の互いに交差するブレードが備えられることを特徴とする請求項２記載のクラッディングシステム。
【請求項４】
各ブレードが、使用時に、クラッディング手段の少なくとも一部に連結されるようになっていることを特徴とする請求項３記載のクラッディングシステム。
【請求項５】
前記クラッディング手段が列状に配置されることを特徴とする請求項２〜４のいずれかに記載のクラッディングシステム。
【請求項６】
前記クラッディング手段の列状が千鳥配列され、それらクラッディング手段の間に連続して並べられたブラケットと連結されることを特徴する請求項５記載のクラッディングシステム。
【請求項７】
隣接するクラッディング手段へのクラッディング手段周囲面の結合を容易にするために、各クラッディング手段の各周囲面上へ接着剤が処理されることを特徴とする請求項２〜７のいずれかに記載のクラッディングシステム。
【請求項８】
本発明に係る第一ブラケットをビルディングのフレームあるいは外面に取り付ける工程、
クラッディング手段の周囲面の一つを、ブラケットと一体となった、あるいはブラケットに連結される連結手段とかみ合わせる工程、
本発明に係る第二ブラケットをクラッディング手段の対向周囲面とかみ合わせる工程、及び
前記第二ブラケットをビルディングのフレームあるいは外面へ取り付ける工程から構成されるビルディングのフレーム又は外面のクラッディング方法。
【請求項９】
使用時にクラッディング手段の側面に連結されるようになっているＸ形状部片を取り付ける工程がさらに含まれることを特徴とする請求項８記載の方法。
【請求項１０】
隣接クラッディング手段の側面をＸ形状部片とかみ合わせる工程がさらに含まれることを特徴とする請求項９記載の方法。
【請求項１１】
クラッディング手段を互いに接着し、あるいは結合させることができるように、１又は２以上の側面上へ接着剤を処理する工程が猶さらに含まれることを特徴とする請求項１０記載の方法。
【請求項１２】
各ブラケットにアルミニウム突出部が含まれることを特徴とする請求項８〜１１のいずれかに記載の方法。
【請求項１３】
各ブラケットに、垂直部材及び水平部材を有するＴ形状体を呈する支持手段が含まれることを特徴とする請求項８〜１２のいずれかに記載の方法。
【請求項１４】
前記水平部材によってクラッディング手段を支えるようになっている基部が形成されることを特徴とする請求項１３記載の方法。
【請求項１５】
前記垂直部材が、使用時にビルディングのフレームあるいは外面に固定されるようになっていることを特徴とする請求項１３または１４に記載の方法。
【請求項１６】
クラッディング手段に、高密度断熱フォームへ薄層状に貼り付けられた薄板が含まれることを特徴とする請求項８〜１５のいずれかに記載の方法。
【請求項１７】
前記薄板がファイバーボード、石板、あるいは人工薄板から成ることを特徴とする請求項１６記載の方法。
【請求項１８】
クラッディング手段を列状に配置する工程が含まれることを特徴とする請求項８〜１７のいずれかに記載の方法。
【請求項１９】
前記列の中央に位置するクラッディング手段が矩形ブロック形状を呈し、他方ビルディングのコーナーに位置するクラッディング手段がＬ字形を呈することを特徴とする請求項１８記載の方法。
【請求項２０】
クラッディング手段、あるいは各クラッディング手段が、それぞれに溝が設けられた４つの周囲面を含んで成ることを特徴とする請求項８〜１９のいずれかに記載の方法。
【請求項２１】
前記溝が連携して連続した切り込みが形成されるように並べられることを特徴とする請求項２０記載の方法。
【請求項２２】
前記連結手段にＴ形状本体部の水平部材から生ずる細長い舌状体が含まれることを特徴とする請求項８〜２１のいずれかに記載の方法。
【請求項２３】
Ｔ形状本体部の水平部材から反対方向に延びる２つの連結手段を用意する工程が含まれることを特徴とする請求項１３〜２２のいずれかに記載の方法。
【請求項２４】
前記細長い舌状体を前記切り込みの溝の一つとかみ合わせる工程が含まれることを特徴とする請求項２２または２３のいずれかに記載の方法。
【請求項２５】
クラッディング手段周囲面が接着剤を用いて互いに接着されることを特徴とする請求項２０〜２４のいずれかに記載の方法。
【請求項２６】
ビルディングのフレームあるいは外面上へ木材あるいは金属製の間柱を取り付ける工程が含まれることを特徴とする請求項８〜２５のいずれかに記載の方法。
【請求項２７】
本願添付図面のいずれかを参照して本願において実質的に説明されたブラケット。
【請求項２８】
本願添付図面のいずれかを参照して本願において実質的に説明されたクラッディングシステム。
【請求項２９】
本願添付図面のいずれかを参照して本願において実質的に説明された、ビルディングのフレームあるいは外面へのクラッディング方法。
【発明の詳細な説明】
【技術分野】
【０００１】
本発明は、下記に限定されないが、特には家屋又はビルディングのフレームあるいは外面の少なくとも一部に対して行うクラッディングに適するブラケット、及び、かかるブラケットを有して成るクラッディングシステムに関する。
【背景技術】
【０００２】
クラッディングは、一般的にビルディングの外面を被覆して構造物を風、雨、火災などの外部要因から保護するために行われる。審美的目的とは別に、クラッディングを騒音、シロアリ、及び天候を遮断することを目的として利用することも可能である。
【０００３】
家屋やビルディングのフレームあるいは外面上に施された金属、繊維材、煉瓦、あるいはセメント板等の基板上へクラッディングを施すことは一般的に行われることである。しかしながら、クラッディングの実施には基板の設置と、施されるクラッディングと基板を配列させることが必要とされるため、建築コストが不可避的に高額化してしまう。
【発明の概要】
【発明が解決しようとする課題】
【０００４】
本発明は、上記欠点を解消し、あるいは改善し得る、もしくは少なくとも有用な代用方法として提供可能な、ブラケット及びクラッディングシステムを提供することを目的とする。
【課題を解決するための手段】
【０００５】
本発明の第一の観点によれば、
ビルディングのフレームあるいは外面へ固定されるようになっていて、１又は２以上のクラッディング手段を支持する支持手段と、
前記支持手段へ連結され、あるいは前記支持手段の一体部分を形成し、かつブラケット自身（ｗｉｔｈ  ｅａｃｈ）、あるいはブラケットとクラッディング手段を連結する手段を含んで構成されるブラケットが提供される。上記において、前記クラッディング手段は、ブラケットと連結される場合、基板を用いることを必要とせずにクラッディングを施すことが可能である。
【０００６】
本発明によれば、本発明の第二の観点によれば、本発明に従った複数のブラケットと連結される複数のクラッディング手段から成るクラッディングシステムが提供される。
【０００７】
好ましくは、クラッディングシステムには１又は２以上のＸ形状部片が含まれ、これら部片のそれぞれには互いに直交する２本の互いに交差するブレードが備えられている。さらに好ましくは、各ブレードは使用時にクラッディング手段の少なくとも一部と連結されるようになっている。
【０００８】
本発明のクラッディングシステムにおいては、一連のクラッディング手段が複数の列となるように配置される。好ましくは、これらの各列は互い違いに配列され、各クラッディング手段は中間のブラケットに対して直列状に連結される。好ましくは、クラッディング手段の周囲面には、隣接クラッディング手段との結合を容易にするために接着剤が処理される。
【０００９】
本発明の第三の観点によれば、
本発明に係る第一ブラケットをビルディングのフレームあるいは外面へ固定する工程、
クラッディング手段の周囲面の一つと、ブラケットと一体なすか、あるいはブラケットへ連結される連結手段をかみ合わせる工程、
本発明に係る第二ブラケットをクラッディング手段の反対側の周囲面とかみ合わせる工程、及び
ビルディングのフレームあるいは外面へ第二ブラケットを貼り付ける工程、から構成されるビルディングのフレームあるいは外面のクラッディング方法が提供される。
【００１０】
本発明方法に、使用時にクラッディング手段の側面と連結されるようになっているＸ形状部片を取り付ける工程をさらに加えることも可能である。また、本発明方法に、隣接クラッディング手段の側面をＸ形状部片とかみ合わせる工程をさらに含めることも可能である。
【００１１】
さらに、本発明方法に、１又は２以上の側面上へ接着剤を処理してクラッディング手段を互いに接着、あるいは結合させることによりクラッディングを雨不透過性にする工程を加えることも可能である。
【００１２】
本実施態様においては、ブラケットにはアルミニウム突出部が設けられる。しかしながら、ブラケットを、他のエンジニアリング材料を用いて、及び別の成型方法によって作製することも可能である。
【００１３】
好ましくは、前記支持手段は、全体としてＴ形状を呈し、かつ垂直部材及び水平部材を有する本体部から成る。より好ましくは、前記水平部材によってクラッディング手段を支えるようになっている基部が形成される。さらに好ましくは、前記垂直部材は、使用時に螺子等の締め具を介してビルディングのフレームあるいは外面へ固定されるようになっている。
【００１４】
前記クラッディング手段には、高密度断熱フォームへ貼り合わされた薄板が含まれていてもよい。かかる薄板はファイバーボード、石板、あるいは人工薄板から成るものでもよい。前記クラッディング手段は、いずれか適当な形状とすることができる。クラッディング手段は好ましくは列状に配置される。前記列の中央に配置されるクラッディング手段は好ましくは矩形ブロック形状を呈するものであり、他方ビルディングのコーナーに配置されるクラッディング手段はＬ形状を呈するものである。前記クラッディング手段に、それぞれに溝が設けられた４個の周囲面を備えることも可能である。これらの溝は、好ましくはそれらが集まって連続した切り込み（ｒｅｂａｔｅ）を形成するように一直線状に並べられる。
【００１５】
前記連結手段は、好ましくは前記Ｔ形状本体部の水平部材から延びて成る細長い舌状体から成る。最も好ましい実施態様では、２個の連結手段が前記Ｔ形状本体部の水平部材から反対方向へ延びるように設けられる。前記細長い舌状体は好ましくは切り込みの溝の一つとかみ合うようになっている。
【００１６】
簡便な方法として、クラッディング手段の周囲面は、例えば膠等の接着剤を用いて互いに接着される。
【００１７】
典型例として、ビルディングのフレームあるいは外面には、材木あるいは金属製の間柱が用いられる。
【図面の簡単な説明】
【００１８】
【図１】本発明の一実施態様に従ったブラケットの一部を示す透視図である。
【図２】多数の図１に示したブラケットによって形成されたクラッディングシステムの一部を示した透視図である。
【図３】コーナーに適合したクラッディング手段を図示するための、図２に示したクラッディングシステムの透視図である。
【発明を実施するための手段】
【００１９】
本発明についてさらに理解を得るため、以下に記載した非限定的な好ましい実施態様を用いて本発明について説明する。
【００２０】
広義において、本発明は家屋あるいはビルディングのフレーム又は外面のクラッディングに関する。
【００２１】
図１に示すように、ブラケット１０は水平部材１４と垂直部材１６を有するＴ形状本体部１２として形状化された支持手段を含む。水平部材１４によってクラッディング手段２６（図２参照）を支える基部が形成される。図２に示すように、垂直部材１６は螺子２０を介して家屋のフレームの間柱１８に固定される。
【００２２】
ブラケット１０には、細長い舌状体２２、２４に形状化された連結手段も含まれている。これら細長い舌状体２２及び２４はＴ形状本体部１２の水平部材１４から生じており、反対方向へ延びている。本実施態様では、これら細長い舌状体２２、２４はＴ形状本体部１２と一体となっている。
【００２３】
各クラッディング手段２６には、高密度断熱フォーム３０へ貼り付けられた薄板２８が含まれている。本実施態様において、前記薄板２８はファイバーボード、石板、及び人工薄板のいずれかから作製される。
【００２４】
前記クラッディング手段２６には、それぞれが溝３２を有する４つの周囲面が設けられている。これらの溝３２は、それらが連携して連続した切り込みを形成するように並べられている（図３参照）。クラッディング手段２６がＴ形状本体部１２上へ置かれと、前記細長い舌状体２２は切り込みの溝３２にかみ合う。このようにして、隣接するクラッディング手段２６は互いに同一平面上にある薄板２８と整然と一列に並べられる。前記周囲面は接着剤を用いて互いに接着される。
【００２５】
図２に示すように、クラッディング手段２６は横列にも縦列にも設置及び配列することが可能である。列の中央に位置するクラッディング手段２６は図２に示すように矩形ブロック形状を呈し、他方家屋（ビルディング）のコーナーに位置するクラッディング手段は図３に示すようにＬ字形である。
【００２６】
本発明に係るブラケットを複数用いて、システム内においてブラケット１０がクラッディング手段２６に連結されるクラッディングシステムを作製することが可能である。このようにクラッディング手段２６及びブラケット１０を配置することにより、基板を必要とせずに家屋のフレーム外側にクラッディングが施すことができ、及びかかる方式により建築コストが大幅に減じられる。
【００２７】
次に図２に示すように、本発明に係るクラッディングシステムには複数のＸ形状部片３４が含まれる。各部片３４は、互いに直交する２つの互いに交差するブレード３６、３８から成る。使用に際しては、ブレード３６がクラッディング手段２６の面３１上の側方（垂直）溝３２にかみ合う。一連のクラッディング手段２６の設置過程において、部片３４は、隣接クラッディング手段２６の各対の間にブレード３８が周囲面３１とに当接するように取り付けられる。隣接するクラッディング手段２６同士の結合を容易にしてクラッディングシステムの完全性を増強するため、クラッディング手段２６の周囲面３１のそれぞれに接着剤が処理される。同様な方法により、本発明に係る複数のブラケット１０がクラッディング手段の隣接列間に設けられ、千鳥配列されてクラッディングシステムが作製される。
【００２８】
一般に、部片３４は側方（垂直）溝３２上に用いられ、他方舌状体２２、２４は水平溝３２中へ差し込まれる。
【００２９】
次に、フレーム（又はビルディングの外面）のクラッディングへの本発明に係るブラケットの施工について説明する。第一段階として、ブラケット１０がフレームの間柱１８へ取り付けられる。次いでクラッディング手段２６がブラケット１０のＴ形状本体部１２上へ置かれる。前記クラッディング手段２６は、細長い舌状体２２がクラッディング手段２６の底面（図２及び図３には図示せず）上において対応する溝３２とかみ合うように、Ｔ形状本体部１２上に位置決めされる。前記面３１を隣接クラッディング手段の他の面と結合させるため、クラッディング手段２６の側方周囲面上へ接着剤が処理される。このようにしてクラッディング手段２６によって形成されたクラッディングは雨に対して不透水性である。前記Ｘ形状部片３４を横部に施工することにより、ブレード３６が側方（垂直）面３１中の対応溝３２にかみ合わされる。
【００３０】
上述したものと同様の工程が、クラッディング手段２６が一列に設置されるまで繰り返される。次いで、本発明に係る別のブラケット１０が、下側の細長い舌状体２４が既に設置されたクラッディング手段２６の上側周囲面中に形成された切り込みとかみ合うように、前記クラッディング手段２６の列上へ置かれる。新たなブラケットが同じ間柱１８上へ螺子２０を用いて取り付けられる。
【００３１】
本実施態様におけるブラケット１０はアルミニウムを用いた押出しにより作製されることに注意すべきである。また、フレームの間柱１８も木材あるいは金属を材料として作製される。
【００３２】
本願発明が本願において具体的に述べた発明以外に変形及び変更可能なことは当業者の理解するところである。これらの変形及び変更は本発明の範囲及び精神に含まれるものと考慮されるべきであり、それら変形等の本質は上述した記載から決定されるべきである。
【産業上の利用可能性】
【００３３】
本発明は、基板の使用を必要とせずにクラッディングを施すことができる点において産業上の利用可能性がある。  
【図１】
2012510007.tif 000003
【図２】
2012510007.tif 000004
【図３】
2012510007.tif 000005
【国際調査報告】
2012510007.tif 000006
2012510007.tif 000007
2012510007.tif 000008